(57)【特許請求の範囲】
【請求項１】
室内機と室外機と前記室内機に対して空調運転の指示を行なうための複数のリモコンとからなり、前記リモコンが前記室内機に対して空調運転の指示を行なえるようにするためのペアリング設定手段を備える空気調和機であって、
前記ペアリング設定手段は、前記室内機に対して前記複数のリモコンのうちの一つをメインリモコンとして登録するメイン機登録機能と、前記メインリモコンとして登録した以外の他のリモコンをサブリモコンとして登録するサブ機登録機能とを有するものであり、
前記ペアリング設定手段による前記メインリモコンおよび前記サブリモコンの登録後、前記室内機が前記サブリモコンからの運転指示信号を受信したとき、
前記室内機は、前記運転指示信号の内容を音声で報知する報知機能と、前記メインリモコンからの操作により前記サブリモコンによる運転指示をキャンセルさせるキャンセル機能を設けたことを特徴とする空気調和機。
【請求項２】
室内機と室外機と前記室内機に対して空調運転の指示を行なうための複数のリモコンとからなり、前記リモコンが前記室内機に対して空調運転の指示を行なえるようにするためのペアリング設定手段を備える空気調和機であって、
前記ペアリング設定手段は、前記室内機に対して前記複数のリモコンのうちの一つをメインリモコンとして登録するメイン機登録機能と、前記メインリモコンとして登録した以外の他のリモコンをサブリモコンとして登録するサブ機登録機能とを有するものであり、
前記ペアリング設定手段による前記メインリモコンおよび前記サブリモコンの登録後、前記室内機が前記サブリモコンからの運転指示信号を受信したとき、
前記室内機は、前記運転指示信号を前記メインリモコンに対して送信し、前記運転指示信号を受信した前記メインリモコンは、前記運転指示信号の内容を表示部に表示するとともに、操作により前記室内機に対して前記サブリモコンによる運転指示をキャンセルさせるキャンセル機能を設けたことを特徴とする空気調和機。
【請求項３】
前記室内機は、前記メインリモコンからのキャンセル信号を受信した場合、前記サブリモコンに対して前記サブリモコンによる運転指示がキャンセルされた旨の信号を送信し、
前記キャンセルされた旨の信号を受信した前記サブリモコンは、表示部にキャンセルされた旨を表示することを特徴とする請求項１または２に記載の空気調和機。
【発明の詳細な説明】
【技術分野】
【０００１】
本発明は、１台の空気調和機を複数のＲＦリモコンで運転操作できるようにした空気調和機に関するものである。
【背景技術】
【０００２】
従来、複数の赤外線方式リモコンから１台の空気調和機を運転操作ができるようなものがある（例えば、特許文献１参照）。例えば、特許文献１では、２つの赤外線方式リモコンで１台の空気調和機を操作するとき、一方のリモコンで運転操作を行うと、空気調和機本体から他方のリモコンに運転情報を送信して、現在の運転状況を表示させることができる。
【先行技術文献】
【特許文献】
【０００３】
【特許文献１】特開平４−２７３９４４号公報
【発明の概要】
【発明が解決しようとする課題】
【０００４】
最近では、赤外線方式リモコンの他にＲＦリモコン（高周波無線通信方式のリモコン）を使用した空気調和機もある。赤外線方式リモコンの場合、操作者は空気調和機の室内機に向けてリモコンを操作するのに対して、ＲＦリモコンは、電波の届く範囲であれば操作できるので、室内機が設置されている部屋以外からも操作が可能となっている。
【０００５】
図２で示すように複数のリモコンがあればリモコンを持ち運ばなくても、室内機１を設置してある部屋ＲＡ以外の部屋ＲＢからも室内機１の操作ができる。例えば、リビングにいながら、次に移る部屋（寝室）の室内機を事前に運転開始したり、子供部屋にある室内機の温度設定を変更したりして、操作対象の室内機のある部屋に出向かなくても操作が可能である。
【０００６】
ところで、操作する室内機が設置されている部屋以外（以下、他室）からリモコン操作できると、例えば、冷房運転中に他室からのリモコンで運転モードの操作がされて暖房運転モードに変わって思いがけない温度になってしまうことが起こりうる。また、在室している人の意思とは関係なく他室から思いもよらない操作が行われると不快になってしまうという問題が生じることも考えられる。
【０００７】
本発明は、上記に鑑みてなされたものであって、室内機を複数のＲＦリモコンで操作可能な空気調和機において、他室にあるリモコンから運転操作が行われた場合、室内機は運転操作がされた旨を報知する一方、その運転操作に対して自室にある別のリモコンでキャンセルできるようにした空気調和機を提供することを目的とする。
【課題を解決するための手段】
【０００８】
上記の課題を解決し、目的を達成するために、本発明の請求項１に係る空気調和機は、室内機と室外機と前記室内機に対して空調運転の指示を行なうための複数のリモコンとからなり、前記リモコンが前記室内機に対して空調運転の指示を行なえるようにするためのペアリング設定手段を備える空気調和機であって、前記ペアリング設定手段は、前記室内機に対して前記複数のリモコンのうちの一つをメインリモコンとして登録するメイン機登録機能と、前記メインリモコンとして登録した以外の他のリモコンをサブリモコンとして登録するサブ機登録機能とを有するものであり、前記ペアリング設定手段による前記メインリモコンおよび前記サブリモコンの登録後、前記室内機が前記サブリモコンからの運転指示信号を受信したとき、前記室内機は、前記運転指示信号の内容を音声で報知する報知機能と、前記メインリモコンからの操作により前記サブリモコンによる運転指示をキャンセルさせるキャンセル機能を設けたことを特徴とする。
【０００９】
また、本発明の請求項２に係る空気調和機は、室内機と室外機と前記室内機に対して空調運転の指示を行なうための複数のリモコンとからなり、前記リモコンが前記室内機に対して空調運転の指示を行なえるようにするためのペアリング設定手段を備える空気調和機であって、前記ペアリング設定手段は、前記室内機に対して前記複数のリモコンのうちの一つをメインリモコンとして登録するメイン機登録機能と、前記メインリモコンとして登録した以外の他のリモコンをサブリモコンとして登録するサブ機登録機能とを有するものであり、前記ペアリング設定手段による前記メインリモコンおよび前記サブリモコンの登録後、前記室内機が前記サブリモコンからの運転指示信号を受信したとき、前記室内機は、前記運転指示信号を前記メインリモコンに対して送信し、前記運転指示信号を受信した前記メインリモコンは、前記運転指示信号の内容を表示部に表示するとともに、操作により前記室内機に対して前記サブリモコンによる運転指示をキャンセルさせるキャンセル機能を設けたことを特徴とする。
【００１０】
また、本発明の請求項３に係る空気調和機は、上述した請求項１または２において、前記室内機は、前記メインリモコンからのキャンセル信号を受信した場合、前記サブリモコンに対して前記サブリモコンによる運転指示がキャンセルされた旨の信号を送信し、前記キャンセルされた旨の信号を受信した前記サブリモコンは、表示部にキャンセルされた旨を表示することを特徴とする。
【発明の効果】
【００１１】
本発明の請求項１によれば、室内機が設置されていない部屋にあるサブリモコンから室内機に対しての運転指示信号を受信すると音声で運転指示の内容を報知することによって、室内機が設置してある部屋にいる人は、他室からの運転指示とその指示内容が分かり、その指示内容が思いもよらない操作であった場合、自室にあるメインリモコンでサブリモコンからの運転指示をキャンセルできるという効果を奏する。
【００１２】
本発明の請求項２によれば、室内機が設置されていない部屋にあるサブリモコンから室内機に対しての運転指示信号を受信すると自室にあるリモコンに運転指示の内容を送信し、自室リモコンは運転指示内容を表示することによって、室内機が設置してある部屋にいる人は、他室からの運転指示とその指示内容が分かり、その指示内容が思いもよらない操作であった場合、自室にあるメインリモコンでサブリモコンからの運転指示をキャンセルできるという効果を奏する。
【００１３】
本発明の請求項３によれば、請求項１または２に加えて、室内機がメインリモコンからのキャンセル信号を受信した場合、運転指示したサブリモコンの表示部にキャンセルされた旨を表示することで、サブリモコンを操作した人は運転指示がキャンセルされたことが分かり、また、サブリモコンの運転情報も操作する前に戻るという効果を奏する。
【図面の簡単な説明】
【００１４】
【図１】図１は、本発明に係る空気調和機のブロック図である。
【図２】図２は、本発明に係る空気調和機の実施例を示す概略図である。
【図３】図３は、本発明に係るリモコンの一例を示す正面図である。
【図４】図４は、室内機の操作部およびＬＥＤ表示部を示す図である。
【図５】図５は、メイン機の登録におけるペアリング設定手順を示す図である。
【図６】図６は、サブ機の登録におけるペアリング設定手順を示す図である。
【図７】図７は、サブ機操作モード時の他室操作を説明する図である。
【図８】図８は、サブ機操作モード移行直後の液晶表示部の初期画面を示す図である。
【図９】図９は、サブ機操作モード時の液晶表示部の画面推移を示す図である。
【図１０】図１０は、空気調和機本体がサブリモコンからの操作信号を受信してからの処理を示したフローチャートである。
【発明を実施するための形態】
【００１５】
以下に、本発明に係る空気調和機の実施の形態を図面に基づいて詳細に説明する。なお、この実施例によりこの発明が限定されるものではない。
【００１６】
［空気調和機の概略構成］
まず、本発明に係る空気調和機の概略構成について説明する。図１は、本発明の空気調和機を示すブロック図で、室内機１と室外機２と操作用のリモコン３とで構成される。
【００１７】
室内機１には、リモコン３と双方向無線通信を行うＲＦモジュールからなる送受信部１０、自機の運転情報や後述のペアリングしたリモコンの識別データを記憶する記憶部１２、操作部１３、ユーザーに各種の情報を報知する報知部１４、ＬＥＤランプの表示部１５、タイマ運転を行なう際に使用されるタイマ部１６とこれらを制御する制御部１１を有している。さらに制御部１１は、室外機２に対して制御信号を送信するとともに、室外機２からの運転情報を受信して制御部にその情報を送る通信部１７、制御部４からの制御信号に基づいて室外機２と協働して空調動作を行なう運転部１８が接続されている。
【００１８】
一方、リモコン３は、図１で示すように、室内機１の送受信部１０と双方向無線通信を行うＲＦモジュールからなる送受信部３０、後述のペアリングした室内機の識別データを記憶する記憶部３２、室内機１を運転操作する操作部３３、室内機１の運転情報（運転モード、設定温度等）を表示する表示部３４とこれらを制御する制御部３１を有している。
【００１９】
図３はリモコン３の正面図を示すもので、上方に配置された表示部３４と下方に配置された操作部３３とからなり、表示部３４はドットマトリクス型液晶パネル等から構成されている。
操作部３３の上方中央には、空気調和機の運転を開始及び停止するための運転／停止ボタン４２が配置され、上方左側には冷房・暖房・送風・除湿などの運転モードを切換える運転切換ボタン４３、その下に就寝時などに停止時間を簡便に設定するおやすみタイマボタン４４、運転／停止ボタン４２の右側には設定温度を上下させる温度ボタン４１が配置されている。
【００２０】
操作部３３の下側には、室内機１とのペアリング設定等種々の設定を行なう機能設定モードを開始するための機能ボタン４５、機能設定モード中に表示部３４に表示された画面を選択操作するためのカーソル上下ボタン４６、カーソル上下ボタン４６の右側にはカーソル上下ボタン４６で選択された項目を選択決定する確定ボタン４８、及び選択決定された項目を取り消したり機能設定モードの前画面に戻ったりする取消ボタン４７の他に、風量、風向などの設定するボタンが配置されている。
【００２１】
図２は、本発明に係る空気調和機の実施例を示す概略図で、部屋ＲＡに配置された室内機１と室内機１と対となる図示しない室外機と、ＲＦモジュールによる双方向無線通信を利用し、２台のリモコン３（３Ａ、３Ｂ）とで構成される。
【００２２】
室内機１の制御部１１とリモコン３の制御部３１は、図示しないがペアリング設定手段をそれぞれに含むようになっている。このペアリング設定手段は、リモコンが室内機に対して空調運転の指示を行なえるようにするもので、室内機１が設置されている部屋で使用するリモコン３Ａ（自室用リモコン）をメインリモコンとして登録するメイン機登録機能と、他室にあるリモコン３Ｂ（他室用リモコン）をサブリモコンとして登録するサブ機登録機能の２つの登録機能を有する。上記説明では、リモコン３Ａをメインリモコンとしリモコン３Ｂをサブリモコンとしているが、リモコン３Ｂをメインリモコンとしリモコン３Ａをメインリモコンとしても登録が可能である。
【００２３】
図４に示すように、ＬＥＤで構成される表示部１５は、ペアリング登録しているか否かを表わすメイン機ＬＥＤ２６とサブ機ＬＥＤ２８とを有しており、それぞれ登録済みの場合には消灯し、未登録の場合には点灯するように制御部１１に制御される。また、図示しない操作部１３には、メイン機、サブ機としてリモコン３（３Ａ、３Ｂ）に登録する際に用いるペアリング登録ボタンを有している。
【００２４】
［ペアリング設定］
次に、ペアリング設定における室内機１の制御部１１とリモコンの制御部３１（ペアリング設定手段）の処理内容（メイン機登録機能およびサブ機登録機能）について説明する。
【００２５】
（メイン機登録機能）
室内機１のメイン機としてリモコン３Ａを登録する場合を例にとり説明する。
図５（１）に示すように、室内機１はメイン機登録が未登録の状態で電源を投入されると、制御部１１はメイン機登録が未登録であることを検知し、図５（２）に示すように表示部１５のメイン機ＬＥＤ２６とサブ機ＬＥＤ２８とを点灯させ、室内機１側がメイン機の登録待ち状態であることをユーザーに報知して、自動的にペアリング登録待ちの状態となる。なお、既にメイン機のリモコンが登録されている場合、自動的にペアリング登録待ちの状態にならない。新たにメイン機のリモコン登録を行なう場合、室内機１側の操作部１３に設けられた図示しないペアリング登録ボタンを例えば３秒押して、ペアリング登録待ちの状態にする。
【００２６】
次に、リモコン３Ａから室内機１に対してペアリング登録するためのペアリング要求信号を送信する。その方法として、制御部３１はリモコン３Ａの記憶部３２にペアリング相手が記憶されていないと判断すると、図５（３）に示すように表示部３４にメイン機の登録操作を案内する初期設定画面を表示する。通常はこの表示された内容に従ってユーザーが操作することになる。リモコン３Ａの表示部３４に図５（３）の表示がされている間に、図３に示すリモコン３Ａの操作部３３の運転／停止ボタン４２と、確定ボタン４４とを同時に押下すると、リモコン３Ａの識別番号のデータを含むペアリング要求信号が送受信部３０からペアリング対象となる室内機１に送られ、ペアリングが開始される。
【００２７】
室内機１は、リモコン３Ａからのペアリング要求信号を送受信部１０で受信すると、仮ペアリング完了信号を送受信部１０を介してリモコン３Ａに送信する。
【００２８】
リモコン３Ａは、室内機１からの仮ペアリング信号を送受信部３０で受信すると、制御部３１から室内機１に対して、室内機機種情報要求信号を送受信部３０を介して送信する。
【００２９】
この室内機機種情報としては、機種名、室内機ＩＤなどがある。室内機１は、送受信部１０が機種情報要求信号を受信すると、制御部１１が、リモコン３Ａに対して記憶部１２に記憶されている機種情報を送信し、送信が成功したことを通知する。
【００３０】
リモコン３Ａは、室内機１の機種情報を送受信部３０で受信すると、制御部３１が、室内機１に対して機種情報受信完了信号を送信し、送信が成功したことを通知し、室内機１はメイン機ＬＥＤ２６を消灯させる。
【００３１】
上記のペアリング設定が終了したリモコン３Ａと室内機１との間では、リモコン３Ａから室内機１に対して運転指示や各種設定を行うことができる。
【００３２】
（サブ機登録機能）
次に、室内機１のサブ機としてリモコン３Ｂを登録する場合には、図６に示すように、このリモコン３Ｂを操作して表示部３４に他室にある室内機１の登録操作を案内する初期設定画面を表示させる。この表示内容に従って、例えば、室内機１の操作部１３の図示しないペアリング登録ボタンを３秒押した後、リモコン３Ｂの運転／停止ボタン４２と確定ボタン４４を同時に押すと、上記メイン機登録で説明したように室内機１とリモコン３Ｂとの間で同様の通信を行なって、室内機１のサブ機としてリモコン３Ｂが登録される。この時、制御部１１はサブ機ＬＥＤ２８を消灯させる制御を行い、メイン機、サブ機として登録済みであることをユーザーに報知する。なお、この室内機１がさらに別のリモコンにサブ機として登録可能であることは言うまでもない。
【００３３】
上記のように、室内機１のメインリモコン３Ａとサブリモコン３Ｂがペアリング登録され、図１０は、室内機１がサブリモコン３Ｂからの操作信号を受信した時の処理を示したフローチャートである。
【００３４】
室内機１は、サブリモコン３Ｂからの操作信号を受信する（ステップＳ１）と、制御部１１がその操作信号の内容を音声信号に変換して、スピーカである報知部１４よって報知する（ステップＳ２）。室内機１がある部屋にいる人は、このスピーカから出力された音声によって他室にいる人がサブリモコン３Ｂで室内機１の運転を変更しようとしたことが分かる。
例えば、サブリモコン３Ｂから温度設定を２８℃から２５℃に変更指示がある場合、報知部１４から「温度設定を２５℃に変更します」というような音声が出力される。
また、運転モードが冷房運転から暖房運転に変更指示がある場合は、「運転モードを暖房運転に変更します」と報知する。
【００３５】
室内機１は、サブリモコン３Ｂからの運転指示に対して室内機のある部屋にいる人がメインリモコン３Ａを操作することによってメインリモコン３Ａからの応答信号があったか否か判断する（ステップＳ３）。室内機１は、ステップＳ２より所定の時間（例えば１０秒）内に応答信号があった場合（ステップＳ３−Ｙ）、ステップＳ５に進む。応答信号がなかった場合（ステップＳ３−Ｎ）、ステップＳ４に進んでサブリモコン３Ｂからの操作信号に従って運転設定を変更する（ステップＳ４）。
【００３６】
ステップＳ５で室内機１は受信した応答信号がキャンセル信号か否か判断する。応答信号がキャンセル信号の場合（ステップＳ５−Ｙ）、ステップＳ６に進む。応答信号がキャンセル信号でない場合（ステップＳ５−Ｎ）、ステップＳ４に進んでサブリモコン３Ｂからの操作信号に従って運転を変更する。キャンセル信号は、図３のリモコンで取消ボタン４７を押下すると出力される。
【００３７】
ステップＳ６で室内機１はサブリモコン３Ｂからの運転指示に対してキャンセルし、そのキャンセルされた旨を通知するキャンセル通知信号を運転指示したサブリモコン３Ｂへ送信する。
【００３８】
ステップＳ７でサブリモコン３Ｂはキャンセル通知信号を受信すると、表示部３４に運転指示がキャンセルされたことを表示して、操作者に通知する。例えば、「ただ今の運転指示はキャンセルされました。」と表示する。
【００３９】
以上説明したように、他室にあるサブリモコン３Ｂから運転指示信号を受信した室内機１は、その運転指示信号の内容を音声で報知する報知機能と、メインリモコン３Ａの操作によりサブリモコン３Ｂよる運転指示をキャンセルさせるキャンセル機能を設けることで、室内機１が設置してある部屋にいる人の意思とは関係なく他室にあるサブリモコン３Ｂから思いもよらない操作が行われても自室のメインリモコンでキャンセルできるので、不快な運転にならないという効果を奏する。
【００４０】
また、上記ステップＳ２の報知手段では、室内機１の音声による報知部１４で報知するようにしているが、室内機１からサブリモコン３Ｂからの変更指示信号をメインリモコン３Ａへ送信し、その信号を受信したメインリモコン３Ａは、表示部３４に表示して在室者に知らせてもよい。例えば、室内機１は、サブリモコン３Ｂからの操作信号を受信する（ステップＳ１）と、制御部１１が受信した操作信号をメインリモコン３Ａへ送信するように指示して送信する。メインリモコン３Ａは、操作信号を受信すると表示部３４に運転設定の変更内容を表示する（図示しないがステップＳ２に相当）ことで室内機１がある部屋にいる人は、他室にいる人がサブリモコン３Ｂで室内機１の運転設定を変更しようとしたことが分かる。
実際の表示例として、メインリモコン３Ａは、サブリモコン３Ｂから温度設定を２８℃から２５℃に変更指示を室内機１から受信すると、表示部３４に「温度設定を２５℃に変更します」というように表示する。
なお、室内機１がある部屋の人は、表示するだけで変更操作が行われたことを気がつかない可能性があるので、室内機１は、メインリモコン３Ａに操作信号を送信するとともに報知部１４でブザー音などを発して変更があったことを報知し、リモコンの表示で確認するようにしてもよい。
【００４１】
［室内機が複数設置してある場合］
以上の実施例では、１台の室内機と複数（２台）のリモコンで構成された場合について説明したが、複数の室内機と複数のリモコンで構成された場合について、図７説明する。
図７において、空気調和機は、部屋ＲＡ、ＲＢ、ＲＣにはそれぞれの部屋に設置された室内機１Ａ、１Ｂ、１Ｃと、部屋ＲＡにあるリモコン３Ａと部屋ＲＢ，ＲＣそれぞれに図示しないリモコン３Ｂ、３Ｃの同一タイプのリモコンとで構成される。
【００４２】
上記したリモコンと室内機の間で、ＲＦモジュールを用いて双方向無線通信を行うため、複数の室内機があると操作対象の室内機が区別できなくなることから、事前にペアリング設定を行う必要がある。
このような場合、ペアリングは、同じ部屋にある室内機とリモコンとでメイン機登録を行い、メイン機登録後、別の部屋にあるリモコンをサブ機として登録する。例えば、部屋ＲＡにある室内機１Ａのメインリモコンは同じ部屋にあるリモコン３Ａで、サブリモコンは他室のＲＢ、ＲＣにあるリモコン３Ｂ、３Ｃとして登録できる。リモコン側からみると、リモコン３Ａは、室内機１Ａのメインリモコンで、他室にある室内機１Ｂ、１Ｃのサブリモコンとなる。ペアリングの登録方法は、前述の通りである。
なお、リモコンが複数の室内機からサブリモコンとして登録されて、サブリモコンとして他室にある室内機を操作する場合、他室１、他室２のような名称ではどの部屋の室内機かが分かりづらいので、図７のように部屋ＲＡ、ＲＢ、ＲＣをそれぞれリビング、寝室、子供部屋と部屋の名称が各部屋に設定できることで、操作者は操作対象とする室内機を部屋の名称で選択できるので、操作対象とする室内機の選択が容易になる。
【００４３】
［ペアリング設定後の操作］
次に、ペアリング設定後の操作について説明する。
通常、リモコン３はメインリモコンとして自室の室内機を操作する自室操作モードになっていて、サブリモコンとしての他室操作モード時の操作について説明する。
【００４４】
リモコン３Ａを自室操作モードから他室操作モードへ切換える方法としては、リモコン３Ａの機能ボタン４５を押下し、カーソル上下ボタンによって自室操作モードから他室操作モードへの移行を指示する。このようにして操作モードが他室操作モードに切り換わった時、リモコン３Ａは、自機がサブリモコンとして登録されている全ての室内機１Ｂ（寝室）、１Ｃ（子供部屋）に対して現在の運転情報（運転中／運転停止中、冷房／暖房、温度設定などの情報）を要求する信号を送信し、各室内機から送られてくる運転情報を取得するとともに、この運転情報を他室操作用の画面に反映させて表示部３４に表示する。
【００４５】
この他室操作モードにおいては、リモコン３Ａは自機がサブリモコンとして登録されている室内機１Ｂ、１Ｃ全てを操作可能であり、任意の他室室内機を個別に操作または全てを一括して操作することができる。ユーザーはリモコンの表示部３４を参照しながら図外の操作部３３を操作して、操作したい他室の室内機を選択する。なお、図７の右側においては、操作対象を寝室に設置された室内機１Ｂか子供部屋に設置された室内機１Ｃか両室の室内機１Ｂ、１Ｃ（リモコン３Ａがサブリモコンとして登録した室内機全て）かに選択可能とした画面が例示されている。
【００４６】
図８（１）〜（３）は、他室操作モードへの移行直後にリモコン３Ａの表示部３４に表示される初期画面の一例を示したものである。他室操作モードに移行する際に自機がサブ機として登録された全ての室内機１Ｂ、１Ｃから取得した運転情報が反映されて、各室内機の現在の運転状況が表示されている。例えば、図８（１）は、寝室は設定温度２６℃で冷房運転中で、子供部屋の室内機１Ｃは運転停止していることを示している。表示部３４内のカーソルをカーソル上下ボタン４６の操作によって選択することで、寝室の室内機１Ｂを操作したり、全室の室内機１Ｂ、１Ｃを一括して操作（例えば運転開始／運転停止）することが可能である。
【００４７】
また、図９は他室操作モード時のリモコン３Ａの表示部３４の画面表示の推移の一例である。例えば、リモコン３Ａの操作部３３の機能ボタン４５を押下し、カーソル上下ボタンによって自室操作モードから他室操作を選択すると、図９に示すように、ユーザーによる操作部３３の操作に応じて表示部３４の画面表示が推移していく。ここで、寝室を選択すると、画面が切り替わって寝室にある室内機１Ｂに対して操作ができるようになる。
【００４８】
なお、他室操作モードから自室操作モードに戻るには、機能ボタン４５を押下し、カーソル上下ボタンによって他室操作モードから自室操作を選択するか、または、操作を所定の時間行わなければ、自動的に自室操作モードに戻るようにしてもよい。
【００４９】
以上説明したように、本発明によれば、１台の室内機に対して複数のリモコンが空調運転の指示を行なえるようにするペアリング設定手段を備える空気調和機であって、このペアリング設定手段は、室内機に対して複数のリモコンのうちの一つをメインリモコンとして登録するメイン機登録機能と、メインリモコンとして登録した以外の他のリモコンをサブリモコンとして登録するサブ機登録機能とを有し、ペアリング設定手段によるメインリモコンおよびサブリモコンの登録後、室内機がサブリモコンからの運転指示信号を受信したとき、室内機は、運転指示信号の内容を音声で報知する報知機能と、前記メインリモコンからの操作により前記サブリモコンよる運転指示をキャンセルさせるキャンセル機能を設けたので、室内機が設置してある部屋にいる人は、他室（サブリモコン）からの運転指示とその指示内容が分かり、その指示内容が思いもよらない操作であった場合、自室にあるメインリモコンでキャンセルできるので、不快な運転にならないという効果を奏する。
【産業上の利用可能性】
【００５０】
以上のように、本発明に係る空気調和機は、１台の空気調和機を複数のリモコンで操作するのに有用であり、複数のリモコンのうち一つだけをメインリモコンとして登録するとともに、残りの少なくとも一つのリモコンをサブリモコンとして登録する空気調和機に適している。
【符号の説明】
【００５１】
１、１Ａ、１Ｂ、１Ｃ  室内機
２  室外機
３、３Ａ、３Ｂ、３Ｃ  リモコン
１０  送受信部（室内機側）
１１  制御部（室内機側、ペアリング設定手段）
１２  記憶部（室内機側）
１３  操作部（室内機側）
１４  報知部
１５  表示部（室内機側）
１６  タイマ部
１７  通信部
１８  運転部
２６  メイン機ＬＥＤ
２８  サブ機ＬＥＤ
３０  送受信部（リモコン側）
３１  制御部（リモコン側、ペアリング設定手段）
３２  記憶部（リモコン側）
３３  操作部（リモコン側）
３４  表示部（リモコン側）
４１  温度設定ボタン
４２  運転／停止ボタン
４３  運転切換ボタン
４４  おやすみタイマボタン
４５  機能ボタン
４６  カーソル上下ボタン
４７  取消ボタン
４８  確定ボタン
【図１】
0005953818.tif 000002
【図２】
0005953818.tif 000003
【図３】
0005953818.tif 000004
【図４】
0005953818.tif 000005
【図５】
0005953818.tif 000006
【図６】
0005953818.tif 000007
【図７】
0005953818.tif 000008
【図８】
0005953818.tif 000009
【図９】
0005953818.tif 000010
【図１０】
0005953818.tif 000011